(57)【要約】【課題】  本発明は電気用品安全法の屋外露出配管部材の材料の規定に適合し、一対の接地線引出留具本体が位置ずれすることなく、確実に接地線を支持した状態で接地線引込装置に容易に、かつ確実にできるとともに、接地測定時には簡単に接地線引込装置より引き出して測定することができる接地線引出留具を得るにある。【解決手段】  電柱の接地線引込装置に着脱可能に嵌合させることができる先端部で接地線を支持する一対の開閉可能な接地線引出留具本体を用いた接地線引出留具において、一対の接地線引出留具本体の一方の先端部に半円弧状の係合片を形成し、他方の先端部に半円弧状の係合片が挿入されて開閉可能に支持する係合片挿入孔を有する係合部を設けて接地線引出留具を構成している。【選択図】  図９
2009050121.tif 000002
【特許請求の範囲】
【請求項１】
電気用品安全法の屋外露出配管部材の材料の規定に適合し、電柱の接地線引込装置に着脱可能に嵌合させることができる先端部で接地線を支持する一対の開閉可能な接地線引出留具本体を用いた接地線引出留具において、前記一対の接地線引出留具本体の一方の先端部に半円弧状の係合片を形成し、他方の先端部に前記半円弧状の係合片が挿入されて開閉可能に支持する係合片挿入孔を有する係合部を設けたことを特徴とする接地線引出留具。
【請求項２】
一対の接地線引出留具本体の接地線引込装置の内壁と接する部位には押し込み時には抵抗が小さく、抜き取り時には大きな抵抗となるノコ歯状の嵌合片が形成されていることを特徴とする請求項1記載の接地線引出留具。
【発明の詳細な説明】
【技術分野】
【０００１】
本発明は電柱の接地線を接地測定時に接地線引込装置より引き出すことができる接地線引出留具に関する。
【背景技術】
【０００２】
従来、地上高２ｍ以上に位置する接地線引込装置より接地線の一部を接地測定用に引き出している。
【０００３】
しかしながら、歩道の新設等で土盛りがされて地上高２ｍ未満になると、電気設備技術基準からみて設備不良となり、改修工事が必要になる。
従来、この改修工事を行うために、地上高２ｍ未満になっても接地線を電柱内に位置させておくことができる接地線引込装置に嵌合固定する嵌合片と、この嵌合片に形成された貫通孔と外周部を通過する接地線取付リングと、この接地線取付リングと接地線とを接続する接続スリーブとからなる取付具を用いることも考えられているが、設置作業に手数がかかるとともに、部品点数が多く、コスト高になるという欠点があった。
【０００４】
この欠点を解消するため、先端部にヒンジ部材を一体成形した開閉可能な一対の接地線引出留具本体を用いた接地線引出留具が考えられているが、そもそも接地線引出留具の一部分（カバー板、径止突部）は、屋外に露出した状態で取付けられており、屋外露出配管と解釈される可能性があった。
電気用品安全法の屋外露出配管部材の材料の規定では、材質強度４６．１Ｍｐａ以上で尚且つ難燃性能(Ｖ−０級)を有する材質が求められているが、材質によっては、ヒンジ部材を一体成形とすることで、ヒンジ部が硬くなりヒンジ部が裂けてしまう恐れがあった。
【特許文献１】特開２００５−１８４９４９
【発明の開示】
【発明が解決しようとする課題】
【０００５】
本発明は以上のような従来の解釈による相違を鑑み、電気用品安全法の屋外露出配管部材の材料の規定に適合し、尚且つ確実に接地線を支持した状態で接地線引込装置に容易に挿入できるとともに、接地測定時にはペンチ等を用いて簡単に接地線引込装置より引き出して測定することができる接地線引出留具を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は電柱の接地線引込装置に着脱可能に嵌合させることができる先端部で接地線を支持する一対の開閉可能な接地線引出留具本体を用いた接地線引出留具において、前記一対の接地線引出留具本体の一方の先端部に半円弧状の係合片を形成し、他方の先端部に前記半円弧状の係合片が挿入されて開閉可能に支持する係合片挿入孔を有する係合部を設けて接地線引出留具を構成している。
【発明の効果】
【０００８】
以上の説明から明らかなように、本発明にあっては次に列挙する効果が得られる。
【０００９】
（１）電柱の接地線引込装置に着脱可能に嵌合させることができる先端部で接地線を支持する一対の開閉可能な接地線引出留具本体を用いた接地線引出留具において、前記一対の接地線引出留具本体の一方の先端部に半円弧状の係合片を形成し、他方の先端部に前記半円弧状の係合片が挿入されて開閉可能に支持する係合片挿入孔を有する係合部を設けたので、一対の接地線引出留具の先端部を位置ずれすることなく、半円弧状の係合片と係合片挿入孔を有する係合部で開閉可能に支持することができる。
したがって、正確に一対の接地線引出留具が重なり合い、位置ずれすることなく電柱の接地線引込装置内へ嵌合させることができ、きれいに設置することができる。
【００１０】
（２）前記（１）により、電気用品安全法の屋外露出配管部材の材料の規定に適合する強固な材質を有しながら、接地線を開閉可能に支持することができる。
【００１１】
（３）請求項２も前記（１）、（２）と同様な効果が得られるとともに、電柱の接地線引込装置内への嵌合が容易にできるとともに、接地線引込装置より引き出す場合大きな抵抗があるので、いたずらにより引き出されたりするのを効率よく防止することができる。
【発明を実施するための最良の形態】
【００１２】
以下、図面に示す本発明を実施するための最良の形態により、本発明を詳細に説明する。
【００１３】
図１ないし図１１に示す本発明を実施するための最良の第１の形態において、１は合成樹脂材で成型された本発明の接地線引出留具で、この接地線引出留具１は電柱２の接地線引込装置３に着脱可能に嵌合させることができるもので、先端部は順次小幅寸法となり、対向する面の先端部に接地線４を収納することができる半円弧形状の接地線収納凹部５、５が形成された板状の一対の接地線引出留具本体６、６と、この一対の接地線引出留具本体６、６の背面中央部に一体形成された先端部が順次小幅寸法となる補強板７、７と、前記一対の接地線引出留具本体６、６の後端部に一体形成された半円形状で、前記接地線引出孔３の端部を覆うカバー板８、８と、このカバー板８、８の対向する部位に前記接地線引込装置３内に嵌合された状態より、ペンチやニッパー等の治具９を用いて抜き取るために一体形成された端部に係止突部１０、１０を有する係止片１１、１１と、前記補強板７、７の後端部に形成された前記接地線引込装置３への挿入は容易にでき、抜き取る場合には大きな抵抗となるノコ歯状の嵌合片１２、１２と、前記一対の接地線引出留具本体６、６の一方の先端部に一体形成された開口部１３が外側面に位置する半円弧状の係合片１４と、前記一対の接地線引出留具本体６、６の他方の先端部に一体形成された、前記係合片１４が挿入されて開閉可能に支持する先端部に軸１５が形成された係合片挿入孔１６を有する係合部１７と、前記一対の接地線引出留具本体６、６の後端部の対向面に形成された係合突片１８と、この係合突片１８と位置決め状態で係合する係合凹部１９とで構成されている。
【００１４】
このように構成された一対の接地線引出留具本体６、６は他方の接地線引出留具本体６の係合片挿入孔１６に一方の接地線引出留具本体６の係合片１４を挿入すると、係合片挿入孔１６の先端部の軸１５に係合片１４の半円弧状の内壁面１４ａが当接した開閉可能状態となる。
【００１５】
このように組立てられた接地線引出留具１は、電柱２の接地線引込装置３より引き出されている接地線４を開放した接地線引出留具１の接地線収納凹部５、５内に位置させ、閉じ、接地線４を接地線引込装置３内へ挿入できるように、接地線収納凹部５、５の両端部で折り曲げる。しかる後、接地線４および接地線引出留具１を接地線引込装置３へ押し込む。
この時、一対の接地線引出留具本体６、６は閉じられた状態で、係合突片１８と係合凹部１９とが係合して、軸心方向および軸心方向と直角方向への移動ができない状態の固定状態となり、接地線引込装置３へ一体の固定状態で挿入され、接地線引込装置３の端部挿入孔３ａ内へカバー板８、８で入り込むまで押し込み嵌合する。この時、ノコ歯状の嵌合片１２、１２によってスムーズに接地線引込装置３内へ押し込み嵌合させることができる。
５年に１度の接地測定時にはペンチやニッパー等の治具９で接地線引出留具１の係止片１１、１１を挟着して引き抜くことにより、ノコ歯状の嵌合片１２、１２で接地線引込装置３に嵌合固定されていても引き抜くことができ、接地線引込装置３より接地線４が係止された接地線引出留具１を電柱２の外部へ引き出すことができ、この状態で通常の接地測定を行なうが、接地線４の切断部はA型スリーブ２０を用いて、該A型スリーブ２０を絶縁テープ２１で処理して電柱２内へ収納する。
[発明を実施するための異なる形態]
【００１６】
次に、図１２ないし図１７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図１２ないし図１４に示す本発明を実施するための第２の形態において、前記本発明を実施するための最良の第１の形態と主に異なる点は、後端部の両端部にノコ歯状の嵌合片１２、１２、１２、１２を形成した一対の接地線引出留具本体６Ａ、６Ａを用いた点で、このような一対の接地線引出留具本体６Ａ、６Ａを用いて構成した接地線引出留具１Ａにしても、前記本発明を実施するための最良の第１の形態と同様な作用効果が得られる。
【００１８】
図１５ないし図１７に示す本発明を実施するための第３の形態において、記本発明を実施するための最良の第１の形態と主に異なる点は、一方の接地線引出留具本体６Ｂの後端部寄りの両端部に凹部２２、２２を形成し、該凹部２２、２２と対応する部位の他方の接地線引出留具本体６Ｃに該凹部２２、２２に入り込み、軸方向および軸方向と直角方向の位置決めを図る先端部が傾斜面２３、２３、２４、２４に形成された係合突片２５、２５を形成した点で、このように形成された一対の接地線引出留具本体６Ｂ、６Ｃを用いて構成した接地線引出留具１Ｂにしても、前記本発明を実施するための最良の第１の形態と同様な作用効果が得られる。
【産業上の利用可能性】
【００１９】
本発明は接地線引出留具を製造する産業および、これを設置する産業で利用される。
【図面の簡単な説明】
【００２０】
【図１】本発明を実施するための最良の第１の形態の使用状態の説明図。
【図２】本発明を実施するための最良の第１の形態の引き出した状態の説明図。
【図３】図１の３−３線に沿う断面図。
【図４】本発明を実施するための最良の第１の形態の正面図。
【図５】本発明を実施するための最良の第１の形態の平面図。
【図６】本発明を実施するための最良の第１の形態の底面図。
【図７】本発明を実施するための最良の第１の形態の側面図。
【図８】本発明を実施するための最良の第１の形態の開放状態の説明図。
【図９】本発明を実施するための最良の第１の形態の開放状態の分解斜視図。
【図１０】本発明を実施するための最良の第１の形態の開放状態の接地線を取付けた状態の説明図。
【図１１】本発明を実施するための最良の第１の形態の引き抜く状態の説明図。
【図１２】本発明を実施するための第２の形態の正面図。
【図１３】本発明を実施するための第２の形態の側面図。
【図１４】本発明を実施するための第２の形態の開放状態の説明図。
【図１５】本発明を実施するための第３の形態の正面図。
【図１６】本発明を実施するための第３の形態の側面図。
【図１７】図１５の１７−１７線に沿う断面図。
【符号の説明】
【００２１】
１、１Ａ、１Ｂ：接地線引出留具、
２：電柱、                                        ３：接地線引込装置、
４：接地線、                                    ５：接地線収納凹部、        
６、６Ａ、６Ｂ、６Ｃ：接地線引出留具本体、
７：補強板、                                    ８：カバー板、
９：治具、                                        １０：係止突部、
１１：係止片、                                １２：ノコ歯状の嵌合片、
１３：開口部                                    １４：係合片、
１５：軸、                                        １６：係合片挿入孔、
１７：係合部、                                １８：係合突片、
１９：係合凹部、                            ２０：A型スリーブ、
２１：絶縁テープ、                        ２２：凹部、
２３、２４：傾斜面、                    ２５：係合突片。
【図１】
2009050121.tif 000003
【図２】
2009050121.tif 000004
【図３】
2009050121.tif 000005
【図４】
2009050121.tif 000006
【図５】
2009050121.tif 000007
【図６】
2009050121.tif 000008
【図７】
2009050121.tif 000009
【図８】
2009050121.tif 000010
【図９】
2009050121.tif 000011
【図１０】
2009050121.tif 000012
【図１１】
2009050121.tif 000013
【図１２】
2009050121.tif 000014
【図１３】
2009050121.tif 000015
【図１４】
2009050121.tif 000016
【図１５】
2009050121.tif 000017
【図１６】
2009050121.tif 000018
【図１７】
2009050121.tif 000019